(57)【特許請求の範囲】
【請求項１】
少なくとも外縁が弧状に形成され、円形の遊技領域の周縁を形成するレールに沿って取り付けたときに遊技盤表面と略面一となる取付基板と、
該取付基板の内側周縁に前方へ突出する様に配置された入賞口と、
前記取付基板の背面側に組み付けられる発光体基板と、
前記発光体基板に配置された発光体の配置に対向して前記取付基板に形成された開口部に取り付けられるレンズ部材と
を備え、さらに、以下の構成をも備えていることを特徴とする電飾付き入賞口ユニット。
（１−１）前記レンズ部材は、平板状に形成されると共に、表面側が平面状で、裏面側に凹凸による模様、図形又は文字が透かし模様として形成されていること。
（１−２）前記レンズ部材が取り付けられる開口部には、当該レンズ部材の周縁を嵌り込ませて前記取付基板と面一の状態に裏側から支持する支持枠が形成されていること。
（１−３）前記レンズ部材は、当該レンズ部材が取り付けられる開口部の縁の少なくとも一部に対して係合する係合部を備えていること。
（１−４）前記入賞口が前記取付基板とは別体の部品として形成され、前記レンズ部材は、前記入賞口によって前面の一部が押さえられる様に配置されていること。
（１−５）前記取付基板には、前記入賞口から入賞した遊技球を下方に流下させる流下樋を形成した裏樋部材へと案内する球通路が形成されると共に、前記レンズ部材は前記球通路の下方に配置され、前記取付基板の裏面には、前記レンズ部材の後方を覆うカバーが前記裏樋部材の前面壁を兼ねる様に取り付けられていること。
【請求項２】
少なくとも外縁が弧状に形成され、円形の遊技領域の周縁を形成するレールに沿って取り付けたときに遊技盤表面と略面一となる取付基板と、該取付基板の内側周縁に前方へ突出する様に配置された入賞口と、前記取付基板の背面側に組み付けられる発光体基板と、前記発光体基板に配置された発光体の配置に対向して前記取付基板に形成された開口部に取り付けられるレンズ部材とを備え、さらに、以下の構成をも備えていることを特徴とする電飾付き入賞口ユニット。
（２−１）前記レンズ部材は、平板状に形成されると共に、表面側が平面状で、裏面側に凹凸による模様、図形又は文字が透かし模様として形成されていること。
（２−２）前記レンズ部材が取り付けられる開口部には、前記レール側に開放部が形成され、該開放部には当該開放部の中心方向に伸びる突起が形成されると共に、前記開放部以外の縁の部分には前記レンズ部材の周縁部の板厚と同じ深さで後方へ控える様に段状に形成され、前記レンズ部材の周縁を嵌り込ませて前記取付基板と面一の状態に裏側から支持する支持枠が形成されていること。
（２−３）前記レンズ部材は、前記開放部と整合する周縁部が弧状縁とされると共に、該弧状縁以外の周縁部は前記開口部の支持枠の段状の周縁部の壁面形状と同一形状とされ、前記弧状縁には前記開放部の突起と同一形状に彫り込まれた係合部が形成されていること。
【発明の詳細な説明】
【技術分野】
【０００１】
本発明は、パチンコ機の電飾部材およびパチンコ機に関し、詳しくは、パチンコ機の遊技領域の周縁側部に取り付けられる弧状の電飾部材であって、ランプ飾りあるいはサイドレンズと称される電飾部材の改良に関する。
【背景技術】
【０００２】
従来、遊技領域の周縁を構成するレールに沿ってサイド装飾ユニットを取り付けたパチンコ機が知られている（特許文献１，２）。
【０００３】
特許文献１は、サイド装飾ユニット２００により遊技球が完全に隠れてしまう死角領域が生じない様に支柱２０８を取り付けることを提案している（図９（Ａ）参照。）。
【０００４】
特許文献２は、弧状の取り付け基板の前面にレンズ部材を設け、背面にランプ収納部を形成するとともに、取り付け基板内縁に入賞口を一体的に形成することで、遊技領域の障害となることなく、装飾性に優れ、コンパクトで製造、組み立ての容易な複合機能を有するサイドレンズを提案している（図９（Ｂ）参照。）。
【０００５】
ところで、レールに沿って沿って配設された入賞口付きのサイド装飾ユニットに向かって流下してきた遊技球の内、入賞口の間を通過したものは、入賞ロの下方の領域をレールに沿ってアウト口へと流下していく。この際、サイド装飾ユニットの入賞口下方に位置するレンズカバーの出っ張りに遊技球が衝突し、損傷を与えるおそれがある。
【０００６】
こうした問題に対し、遊技球が電飾用のランプカバー部を直撃しないようにランプカバー前面を遊技盤面とほぼ同一平面となるように構成する提案もある（特許文献３；図９（Ｃ）参照。）。
【特許文献１】特開２００６−２３９１７７号公報（図３〜５）
【特許文献２】特開２０００−３５４６５３号公報（図２）
【特許文献３】特開２００１−３００００８号公報（図１〜６）
【発明の開示】
【発明が解決しようとする課題】
【０００７】
しかしながら、特許文献３の提案では、遊技盤に対して裏面側からレンズをネジ止め固定する構造となっており、特許文献１，２に提案される様なサイド装飾ユニットに対して適用する場合、ユニットの構造が複雑になり、組立が煩雑になるという問題がある。
【０００８】
そこで、本願は、パチンコ機の遊技領域の周縁側部に取り付けられる弧状の電飾部材において、組立が容易で、しかもしっかりとした構造にすることができ、かつ、遊技球による擦れや衝突の影響による損傷を受け難くすることを目的としてなされた。
【課題を解決するための手段】
【０００９】
上記目的を達成するためになされた本発明の電飾付き入賞口ユニットは、少なくとも外縁が弧状に形成され、円形の遊技領域の周縁を形成するレールに沿って取り付けたときに遊技盤表面と略面一となる取付基板と、該取付基板の内側周縁に前方へ突出する様に配置された入賞口と、前記取付基板の背面側に組み付けられる発光体基板と、前記発光体基板に配置された発光体の配置に対向して前記取付基板に形成された開口部に取り付けられるレンズ部材とを備え、さらに、以下の構成をも備えていることを特徴とする。
（１−１）前記レンズ部材は、平板状に形成されると共に、表面側が平面状で、裏面側に凹凸による模様、図形又は文字が透かし模様として形成されていること。
（１−２）前記レンズ部材が取り付けられる開口部には、当該レンズ部材の周縁を嵌り込ませて前記取付基板と面一の状態に裏側から支持する支持枠が形成されていること。
（１−３）前記レンズ部材は、当該レンズ部材が取り付けられる開口部の縁の少なくとも一部に対して係合する係合部を備えていること。
（１−４）前記入賞口が前記取付基板とは別体の部品として形成され、前記レンズ部材は、前記入賞口によって前面の一部が押さえられる様に配置されていること。
（１−５）前記取付基板には、前記入賞口から入賞した遊技球を下方に流下させる流下樋を形成した裏樋部材へと案内する球通路が形成されると共に、前記レンズ部材は前記球通路の下方に配置され、前記取付基板の裏面には、前記レンズ部材の後方を覆うカバーが前記裏樋部材の前面壁を兼ねる様に取り付けられていること。
【００１０】
本発明の電飾付き入賞口ユニットによれば、取付基板が遊技盤表面と略面一となる様に取り付けられ、入賞口の横を通過した遊技球は、遊技領域の周縁を構成するレールに向かって流下する。このレンズ部材の背後には発光体が設置されており、発光体の光により、透かし模様が浮き上がる様にして電飾による演出が実行される。このとき、レンズ部材は、開口部に形成された支持枠で周縁を裏側から支持されると共に、係合部で開口部の縁の一部に係合させ、さらに、入賞口によって前面の一部が押さえられているので、取付基板に対してネジ止めする必要がない。従って、ネジ止めのためのボスなどを突設する必要がなく、発光体による光の演出において、ボスの影が写るといったこともない。
【００１１】
また、レンズ部材の後方を覆いつつ裏樋部材の前面壁を兼ねるカバーにより発光体基板裏面の配線プリント等を的確に保護すると共に、入賞口に入賞した遊技球は、球通路によって裏樋部材へと誘導することができる。裏樋部材は、カバーを前面壁に利用しつつ発光体基板を確実に保護することができる。
【００１２】
また、上記目的を達成するためになされた本発明の電飾付き入賞口ユニットは、少なくとも外縁が弧状に形成され、円形の遊技領域の周縁を形成するレールに沿って取り付けたときに遊技盤表面と略面一となる取付基板と、該取付基板の内側周縁に前方へ突出する様に配置された入賞口と、前記取付基板の背面側に組み付けられる発光体基板と、前記発光体基板に配置された発光体の配置に対向して前記取付基板に形成された開口部に取り付けられるレンズ部材とを備え、さらに、以下の構成をも備えていることを特徴とする。
（２−１）前記レンズ部材は、平板状に形成されると共に、表面側が平面状で、裏面側に凹凸による模様、図形又は文字が透かし模様として形成されていること。
（２−２）前記レンズ部材が取り付けられる開口部には、前記レール側に開放部が形成され、該開放部には当該開放部の中心方向に伸びる突起が形成されると共に、前記開放部以外の縁の部分には前記レンズ部材の周縁部の板厚と同じ深さで後方へ控える様に段状に形成され、前記レンズ部材の周縁を嵌り込ませて前記取付基板と面一の状態に裏側から支持する支持枠が形成されていること。
（２−３）前記レンズ部材は、前記開放部と整合する周縁部が弧状縁とされると共に、該弧状縁以外の周縁部は前記開口部の支持枠の段状の周縁部の壁面形状と同一形状とされ、前記弧状縁には前記開放部の突起と同一形状に彫り込まれた係合部が形成されていること。
【００１３】
上記構成を有する本発明の電飾付き入賞口ユニットによれば、遊技球が電飾付き入賞口ユニットの部分を通ってアウト口へと流下する際の電飾用のレンズ部材の損傷を防止することができる。そして、当該レンズ部材は、ボスの影を写す様なことなく効果的な電飾による演出を実行させ、しかも、レンズ部材を支持枠に裏面を支持された状態にセットする際の位置決めは容易である。
【発明の効果】
【００１４】
本発明によれば、パチンコ機の遊技領域の周縁側部に取り付けられる弧状の電飾部材において、組立が容易で、しかもしっかりとした構造にすることができ、かつ、遊技球による擦れや衝突の影響による損傷を受け難くすることができる。この結果、優れた電飾効果を長く発揮することのできるパチンコ機を提供することができる。
【発明を実施するための最良の形態】
【００１５】
以下、本発明を具体化した実施形態を説明する。実施形態は、図１に示す様な遊技盤１を備えたパチンコ機に関するものである。
【００１６】
まず、遊技盤１について簡単に説明する。遊技盤１には、円形の遊技領域を区画するために取り付けられたレール２と、遊技領域の中央から右上までの範囲を占める様に取り付けられたセンター役物３と、全体として弧状に形成され、レール２に沿って遊技領域の左下側に配置される電飾付き入賞口ユニット４とを備えている。
【００１７】
センター役物３は、液晶ディスプレイ１１を取り巻く様に配置される大型装飾部品１２によって構成されており、遊技領域の中央から右上までの範囲を占めている。そのため、遊技領域の上部に発射された遊技球は、主に遊技領域の左側を流下するようになっている。また、センター役物のすぐ下には始動入賞口１３が配置されていて、この始動入賞口１３に遊技球が入賞すると液晶ディスプレイ１１に表示される図柄が変動を開始する。また、遊技盤１には、これら部品の他に、障害釘や案内車が配置されると共に、特別入賞口１４、アウト口１５等の各種の部品が取り付けられている。
【００１８】
電飾付き入賞口ユニット４は、図１〜図５に示す様に、全体として弧状に形成され、取り付けたときに遊技盤１の表面と略面一となる取付基板２１と、取付基板２１の内側周縁２１ａに沿って前方へ突出する様に配置された入賞口２２〜２４と、取付基板２１の背面側に組み付けられる発光体基板２５と、発光体基板２５に配置された発光体（ＬＥＤ）２６の配置に対応して取付基板２１に形成された開口部２７に取り付けられるレンズ部材３０とを備えている。なお、符号２９は、一部を光透過性樹脂で形成した三角形箱状のレンズ部品であって、この背面にもＬＥＤが配置されている。
【００１９】
レンズ部材３０が取り付けられる開口部２７には、レール２側に開放部２７ａが形成されると共に、当該開放部２７ａ以外の縁の部分にはレンズ部材３０の周縁部の板厚と同じ深さで後方へ控える様にして支持枠２７ｂが段状に形成されている。一方、開放部２７ａの両端部には、開放部２７ａの中心方向に伸びる突起２８ａ，２８ｂが形成されている。この突起２８ａ，２８ｂは、レンズ部材３０の周縁部の板厚のほぼ１／２程度の板厚とされている。
【００２０】
レンズ部材３０は、図７に示す様に、光透過性の合成樹脂を用いて、その表面３０ａ側が平面で、裏面３０ｂ側に凹凸による透かし模様が形成され、全体としては平板状の部品として形成されている。レンズ部材３０の周縁の形状は、開放部２７と整合する縁が弧状縁３１とされると共に、弧状縁３１以外の周縁部３２は開口部２７の支持枠２７ｂの壁面形状と同一形状とされている。また、レンズ部材３０の弧状縁３１の両端には、開口部２７の開放部２７ａの両端部に形成した突起２８ａ，２８ｂと同一形状で、当該突起２８ａ，２８ｂの板厚と同一深さに彫り込む様に形成した係合部３３ａ，３３ｂが形成されている。レンズ部材３０の裏面３０ｂの透かし模様は、図７に示す様に、シボ加工によってバナナを象った模様の周囲を複数の領域に分け、シボ加工による透かし模様と、ダイヤカット加工による透かし模様が周方向に交互に並ぶ様に施されている。
【００２１】
レンズ部材３０と開口部２７を上述の様に構成したので、レンズ部材３０は、係合部３３ａ，３３ｂを開放部２７ａの両端の突起２８ａ，２８ｂに裏側から係合させて後方へ回動する様に操作することにより、支持枠２７ｂに裏面を支持された状態にセットすることができる。
【００２２】
また、電飾付き入賞口ユニット４に取り付けられる上入賞ロ２２、中入賞ロ２３及び下入賞口２４は、互いの間に遊技球Ｐが１個通過し得る様に間隔をあけて夫々配設されている。これらの位置関係において、中入賞口２３は、上入賞ロ２２と下入賞ロ２４とを結ぶ線分よりも上方に位置する様に配置され、レンズ部材３０は、中入賞口２３の下方に取り付けられて該中入賞口２３で、前面における周縁部３２の上側の一部を押さえ付けられる様に配置されている。
【００２３】
また、電飾付き入賞口ユニット４の本体を構成する取付基板２１の裏面には、各入賞ロ２２〜２４から入賞した遊技球Ｐを後方へ案内する球通路４１〜４３が形成されている。球通路４１〜４３は、取付基板２１に形成した通過孔４１ａ〜４３ａと半円筒状樋部材４１ｂ〜４３ｂとから構成されている。
【００２４】
レンズ部材３０は、前述の様に、中入賞口２３の下方に配置されると共に、レンズ部材３０を介して電飾効果を生じさせる発光体２６は、中入賞ロ２３に連通する球通路４２の下方に配置されている。
【００２５】
また、発光体基板２５の裏面には、図６，図８に示す様に、裏面の配線を保護する基板カバー４４が取り付けられている。この基板カバー４４の裏面と球通路４１〜４３を構成する半円筒状樋部材４１ｂ〜４３ｂの後端は、遊技盤１の裏面と略面一となる様に設計されている。また、基板カバー４４の裏面には、遊技盤１の裏面に取り付けられて、球通路から転げ出た遊技球Ｐを下方に流下させる流下樋を形成した裏樋部材５０を位置決めするたの位置決めピン４５が後方へ突設されている。
【００２６】
以上の様に、電飾付き入賞口ユニット４を構成する取付基板２１が遊技盤１の表面と略面一となる様に取り付けられることから、入賞口２２〜２４の横を通過した遊技球Ｐは、取り付け基板２１の前面側を転がって遊技領域の周縁を構成するレール２に向かって流下する。そして、レール２に沿ってアウト口１５へ向かって流下する際に、レンズ部材３０の前面を通過する遊技球Ｐは、レンズ部材３０の表面を擦るけれども、透かし模様は裏面側に形成されているので、透かし模様が削られることはない。このレンズ部材３０の背後には発光体２６が設置されており、発光体２６の光により、透かし模様が浮き上がる様にして電飾による演出が実行される。このとき、レンズ部材３０は、開口部２７に形成された支持枠２７ｂで周縁を裏側から支持されると共に、係合部３３ａ，３３ｂで開口部２７の開放部２７ａの両端に係合させ、さらに、中入賞口２３によって前面の一部が押さえられているので、取付基板２７に対してネジ止めする必要がない。従って、ネジ止めのためのボスなどを突設する必要がなく、発光体２６による光の演出において、ボスの影が写るといったこともない。
【００２７】
また、レンズ部材３０は、開口部２７の突起２８ａ，２８ｂによって弧状縁３１の両端２箇所で前面側を押さえられ、さらに、中入賞口２３によって周縁部３２の上部位置で前面側を押さえられているので、３点で前面を押さえられたしっかりとした取り付け状態となる。また、その取り付け作業においては、係合部３３ａ，３３ｂを突起２８ａ，２８ｂ先に係合させ、後方へ向かって回動する様にレンズ部材３０を操作することで支持枠２７ｂに裏面を支持された状態にセットすることができる。従って、中入賞口２３を取り付ける前の位置決めを容易かつ確実に実行できる。
【００２８】
さらに、レール２との間には広い空間を採ることのできる中入賞口２３の下方にレンズ部材３０を取り付けるので、レンズ部材３０による装飾効果を高めることができる。加えて、発光体２６を球通路４２に干渉することなく配置することができ、上述の様にボスの影が写ったりすることのない電飾効果をより的確に発揮することができる。
【００２９】
また、発光体基板２５の裏面に基板カバー４４を取り付け、基板カバー４４の裏面と球通路４１〜４３を構成する半円筒状樋部材４１ｂ〜４３ｂの後端を遊技盤１の裏面と略面一となる様に設計してあるので、発光体基板２５の裏面の配線プリント等を的確に保護すると共に、入賞口２２〜２４に入賞した遊技球Ｐを基板カバー４４の裏面まで確実に誘導することができる。そして、遊技盤１の裏面に取り付ける裏樋部材５０は、基板カバー４４の位置決めピン４５によって正しく位置決めされて取り付けられる。よって、入賞口２２〜２４に入賞した遊技球Ｐを裏樋部材５０へと的確に誘導することができると共に、基板カバー４４を裏樋部材５０の前面壁に利用しつつ発光体基板２５を確実に保護することができる。
【００３０】
そして、実施形態の遊技盤１を採用したパチンコ機によれば、遊技領域に、該遊技領域の中央から右上までの範囲を占める役物を取り付けたので、遊技領域の左側を主に遊技球Ｐの流下経路として構成することができると共に、当該左側部分を流下する遊技球Ｐが電飾付き入賞口ユニット４の部分を通ってアウト口１５へと流下する際の電飾用のレンズ部材３０の損傷を防止することができ、しかも、当該レンズ部材３０はボスの影を写す様なことなく効果的な電飾による演出を実行させ、しかも、その取り付けが容易であるという作用・効果を発揮するものとなっている。
【００３１】
以上、発明を実施するための最良の形態としての一実施形態を説明したが、本発明は、これに限定されるものではなく、その要旨を逸脱しない範囲内における種々の変更が可能である。
【図面の簡単な説明】
【００３２】
【図１】実施形態のパチンコ機の遊技盤を示す正面図である。
【図２】実施形態の電飾付き入賞口ユニットの分解斜視図である。
【図３】実施形態の電飾付き入賞口ユニットの分解状態の正面図である。
【図４】実施形態の電飾付き入賞口ユニットの分解状態の背面図である。
【図５】実施形態の電飾付き入賞口ユニットの正面図である。
【図６】実施形態の電飾付き入賞口ユニットの縦断面図である。
【図７】実施形態の電飾付き入賞口ユニットに取り付けるレンズ部材を示し、（Ａ）は表側から見た斜視図、（Ｂ）は裏側から見た斜視図、（Ｃ）は上面図、（Ｄ）は正面図、（Ｅ）は右側面図、（Ｆ）はＡ−Ａ断面図、（Ｇ）は背面図である。
【図８】実施形態のパチンコ機の遊技盤における裏樋部材の配置を示す背面図である。
【図９】従来技術の説明図である。
【符号の説明】
【００３３】
１・・・遊技盤
２・・・レール
３・・・センター役物
４・・・電飾付き入賞口ユニット
１１・・・液晶ディスプレイ
１２・・・大型装飾部品
１３・・・始動入賞口
１４・・・障害釘
１５・・・アウト口
２１・・・取付基板
２１ａ・・・内側周縁
２２・・・上入賞口
２３・・・中入賞口
２４・・・下入賞口
２５・・・発光体基板
２６・・・発光体（ＬＥＤ）
２７・・・開口部
２７ａ・・・開放部
２７ｂ・・・支持枠
２８ａ，２８ｂ・・・突起
３０・・・レンズ部材
３０ａ・・・表面
３０ｂ・・・裏面
３１・・・弧状縁
３２・・・周縁部
３３ａ，３３ｂ・・・係合部
４１〜４３・・・球通路
４１ａ〜４３ａ・・・通過孔
４１ｂ〜４３ｂ・・・半円筒状樋部材
４４・・・基板カバー
４５・・・位置決めピン
５０・・・裏樋部材
Ｐ・・・遊技球
【図１】
0005518984.tif 000002
【図２】
0005518984.tif 000003
【図３】
0005518984.tif 000004
【図４】
0005518984.tif 000005
【図５】
0005518984.tif 000006
【図６】
0005518984.tif 000007
【図７】
0005518984.tif 000008
【図８】
0005518984.tif 000009
【図９】
0005518984.tif 000010